(57)【要約】【課題】ＰＵＣＣＨと端末間発見用信号と周波数分割多重される場合、当該端末間発見用信号によるＰＵＣＣＨに対する干渉（バンド内漏えい）を低減すること。【解決手段】本発明のユーザ端末は、ＰＵＣＣＨと端末間発見用信号とを周波数分割多重して送信する。また、本発明のユーザ端末は、前記ＰＵＣＣＨが配置される周波数リソース領域の隣接領域を除いた制限リソース領域を示す制限リソース領域情報を、無線基地局から受信する受信部と、前記無線基地局と前記ユーザ端末との間の距離を判定する判定部と、前記判定部によって前記距離が相対的に近いと判定される場合、前記制限リソース領域の中から前記端末間発見用信号の配置リソースを選択する選択部と、を具備する。【選択図】図４
2015142356.tif 000002
【特許請求の範囲】
【請求項１】
上り制御チャネルと端末間発見用信号とを周波数分割多重して送信するユーザ端末であって、
前記上り制御チャネルが配置される周波数リソース領域の隣接領域を除いた制限リソース領域を示す制限リソース領域情報を、無線基地局から受信する受信部と、
前記無線基地局と前記ユーザ端末との間の距離を判定する判定部と、
前記判定部によって前記距離が相対的に近いと判定される場合、前記制限リソース領域の中から前記端末間発見用信号の配置リソースを選択する選択部と、を具備することを特徴とするユーザ端末。
【請求項２】
前記判定部によって前記距離が相対的に遠いと判定される場合、前記選択部は、前記制限リソース領域と前記隣接領域とで構成されるリソース領域の中から前記端末間発見用信号の配置リソースを選択することを特徴とする請求項１に記載のユーザ端末。
【請求項３】
前記受信部は、報知情報、下り制御チャネル及び上位レイヤシグナリングのいずれかを用いて、前記制限リソース領域情報を受信することを特徴とする請求項１又は請求項２に記載のユーザ端末。
【請求項４】
前記判定部は、前記無線基地局からの下り信号の受信信号強度と所定の閾値との比較結果に基づいて、前記距離を判定することを特徴とする請求項１から請求項３のいずれかに記載のユーザ端末。
【請求項５】
前記判定部は、前記無線基地局からの下り信号の受信信号強度に基づいて算出されるパスロスと所定の閾値との比較結果に基づいて、前記距離を判定することを特徴とする請求項１から請求項３のいずれかに記載のユーザ端末。
【請求項６】
前記受信部は、報知情報、下り制御チャネル及び上位レイヤシグナリングのいずれかを用いて、前記所定の閾値を受信することを特徴とする請求項４又は請求項５に記載のユーザ端末。
【請求項７】
一定の送信電力を用いて、又は、前記選択された配置リソースに応じて制限される送信電力を用いて、前記端末間発見用信号を送信する送信部を更に具備することを特徴とする請求項１から請求項６のいずれかに記載のユーザ端末。
【請求項８】
端末間発見用信号と周波数分割多重される上り制御チャネルをユーザ端末から受信する無線基地局であって、
前記上り制御チャネルが配置される周波数リソース領域の隣接領域を除いた制限リソース領域を示す制限リソース領域情報を生成する生成部と、
前記制限リソース領域情報を前記ユーザ端末に送信する送信部と、を具備することを特徴とする無線基地局。
【請求項９】
ユーザ端末が、上り制御チャネルと端末間発見用信号とを周波数分割多重して送信する無線通信システムであって、
無線基地局が、前記上り制御チャネルが配置される周波数リソース領域の隣接領域を除いた制限リソース領域を示す制限リソース領域情報を、前記ユーザ端末に送信する送信部を具備し、
前記ユーザ端末が、前記無線基地局と前記ユーザ端末との間の距離を判定する判定部と、前記判定部によって前記距離が相対的に近いと判定される場合、前記制限リソース領域情報が示す前記制限リソース領域の中から前記端末間発見用信号の配置リソースを選択する選択部と、を具備することを特徴とする無線通信システム。
【請求項１０】
ユーザ端末が、上り制御チャネルと端末間発見用信号とを周波数分割多重して送信する無線通信システムにおける無線通信方法であって、
無線基地局が、前記上り制御チャネルが配置される周波数リソース領域の隣接領域を除いた制限リソース領域を示す制限リソース領域情報を、前記ユーザ端末に送信する工程と、
前記ユーザ端末が、前記無線基地局と前記ユーザ端末との間の距離を判定する工程と、前記距離が相対的に近いと判定される場合、前記制限リソース領域情報が示す前記制限リソース領域の中から前記端末間発見用信号の配置リソースを選択する工程と、を有することを特徴とする無線通信方法。
【発明の詳細な説明】
【技術分野】
【０００１】
本発明は、端末間信号送受信が行われる次世代移動通信システムにおけるユーザ端末、無線基地局、無線通信システム及び無線通信方法に関する。
【背景技術】
【０００２】
ＵＭＴＳ（Universal  Mobile  Telecommunications  System）ネットワークにおいて、さらなる高速データレート、低遅延などを目的としてＬＴＥ（Long  Term  Evolution）が仕様化されている（非特許文献１）。
【０００３】
このＬＴＥやＬＴＥの後継システム（例えば、ＬＴＥアドバンスト、ＦＲＡ（Future  Radio  Access）、４Ｇなどともいう）では、端末間で無線基地局を介さずに信号を送受信する端末間（Ｄ２Ｄ：Device-to-Device）信号送受信をサポートする無線通信システムも検討されている（例えば、非特許文献２）。
【０００４】
この端末間信号送受信には、ユーザ端末同士が無線基地局を介さずに他のユーザ端末を発見する端末間発見（Ｄ２Ｄ  discovery）や、発見されたユーザ端末同士が無線基地局を介さずに他のユーザ端末とデータなどの通信信号を送受信する端末間通信（Ｄ２Ｄ  communication）などが含まれる。
【先行技術文献】
【非特許文献】
【０００５】
【非特許文献１】3GPP  TR  36.814“E-UTRA  Further  advancements  for  E-UTRA  physical  layer  aspects”
【非特許文献２】“Key  drivers  for  LTE  success:  Services  Evolution”、２０１１年９月、3GPP、インターネットURL：  http://www.3gpp.org/ftp/Information/presentations/presentations_2011/2011_09_LTE_Asia/2011_LTE-Asia_3GPP_Service_evolution.pdf
【発明の概要】
【発明が解決しようとする課題】
【０００６】
端末間発見が行われる無線通信システムでは、上り制御チャネル（ＰＵＣＣＨ：Physical  Uplink  Control  Channel）と端末間発見用信号とが、同じサブフレームで周波数分割多重（ＦＤＭ：Frequency  Division  Multiplexed）されることが想定される。ここで、端末間発見用信号（ディスカバリー信号：discovery  signal、Ｄ２Ｄディスカバリー信号、ＤＳなどともいう）とは、無線基地局を介さずに自端末を他のユーザ端末に発見させるための信号である。
【０００７】
しかしながら、ＰＵＣＣＨと端末間発見用信号とが周波数分割多重される場合、当該端末間発見用信号によるＰＵＣＣＨに対する干渉（バンド内漏えい：in-band  emission）が増大する恐れがある。
【０００８】
本発明は、かかる点に鑑みてなされたものであり、ＰＵＣＣＨと端末間発見用信号と周波数分割多重される場合、当該端末間発見用信号によるＰＵＣＣＨに対する干渉（バンド内漏えい）を低減可能なユーザ端末、無線基地局、無線通信システム及び無線通信方法を提供することを目的とする。
【課題を解決するための手段】
【０００９】
本発明に係るユーザ端末は、上り制御チャネルと端末間発見用信号とを周波数分割多重して送信するユーザ端末であって、前記上り制御チャネルが配置される周波数リソース領域の隣接領域を除いた制限リソース領域を示す制限リソース領域情報を、無線基地局から受信する受信部と、前記無線基地局と前記ユーザ端末との間の距離を判定する判定部と、前記判定部によって前記距離が相対的に近いと判定される場合、前記制限リソース領域の中から前記端末間発見用信号の配置リソースを選択する選択部と、を具備することを特徴とする。
【発明の効果】
【００１０】
本発明によれば、ＰＵＣＣＨと端末間発見用信号とが周波数分割多重される場合、当該端末間発見用信号によるＰＵＣＣＨに対する干渉（バンド内漏えい）を低減できる。
【図面の簡単な説明】
【００１１】
【図１】ＰＵＣＣＨとディスカバリー信号との周波数分割多重の説明図である。
【図２】バンド内漏えいの説明図である。
【図３】ディスカバリー信号によるＰＵＣＣＨに対する干渉（バンド内漏えい）の説明図である。
【図４】本発明の態様１に係る無線通信方法の説明図である。
【図５】本発明の態様２．１に係る無線通信方法の説明図である。
【図６】本発明の態様２．２に係る無線通信方法の説明図である。
【図７】本発明の態様２．３に係る無線通信方法の説明図である。
【図８】本実施の形態に係る無線通信システムの一例を示す概略図である。
【図９】本実施の形態に係る無線基地局の全体構成図である。
【図１０】本実施の形態に係るユーザ端末の全体構成図である。
【図１１】本実施の形態に係る無線基地局の詳細構成図である。
【図１２】本実施の形態に係るユーザ端末の詳細構成図である。
【発明を実施するための形態】
【００１２】
図１は、上り制御チャネル（ＰＵＣＣＨ）とディスカバリー信号との周波数分割多重の説明図である。ディスカバリー信号（Ｄ２Ｄ信号、Ｄ２Ｄディスカバリー信号、ＤＳなどともいう）とは、無線基地局を介さずに自端末を他のユーザ端末に発見させるための端末間発見用信号であり、自端末の識別情報などを含んでもよい。
【００１３】
また、ＰＵＣＣＨは、帯域内の一部の周波数リソース領域（以下、ＰＵＣＣＨ領域という）内に配置される。ここで、帯域とは、周波数分割複信（ＦＤＤ：Frequency  Division  Duplex）方式においては、上り帯域（上りバンド）であり、時分割複信（ＴＤＤ：Time  Division  Duplex）方式においては、上りサブフレームで用いられる帯域（バンド）である。以下では、ＰＵＣＣＨ領域は、帯域の両端領域に設けられる場合を例示するが、これに限られない。ＰＵＣＣＨ領域は、帯域内の一部の周波数リソース領域であれば、どのように設けられてもよい。
【００１４】
図１に示すように、ＰＵＣＣＨ領域は、ユーザ端末から無線基地局に対するＷＡＮ（Wide  Area  Network）信号（例えば、上り共有チャネル（ＰＵＳＣＨ：Physical  Uplink  Shared  Channel））の送信期間だけでなく、周期的なディスカバリー信号の送信期間（以下、Ｄ２Ｄ期間という）においても、配置される。
【００１５】
これは、Ｄ２Ｄ期間において送信される下り信号の送達確認情報（ＡＣＫ、ＮＡＣＫなど）やチャネル品質情報（例えば、ＣＳＩ：Channel  State  Information）を遅延なく無線基地局にフィードバックするためには、Ｄ２Ｄ期間においてもＰＵＣＣＨを割り当てる必要があるためである。なお、Ｄ２Ｄ期間は、例えば、複数のサブフレームで構成される。
【００１６】
このように、ディスカバリー信号は、Ｄ２Ｄ期間において、ＰＵＣＣＨ領域を除いたリソース領域（Ｄ２Ｄ領域）内の無線リソースに配置され、ＰＵＣＣＨと周波数分割多重されることが想定される。
【００１７】
なお、Ｄ２Ｄ領域内でディスカバリー信号が配置される無線リソース（以下、配置リソースという）は、例えば、少なくとも一つのリソースブロック（ＰＲＢ：Physical  Resource  Block）やＰＲＢペアなどである。この配置リソースは、ユーザ端末によって自律的に選択されてもよいし（Type-1、衝突型）、無線基地局からユーザ端末に通知されてもよい（Type-2、非衝突型）。
【００１８】
図２は、バンド内漏えいの説明図である。なお、図２では、配置リソースの単位として、リソースブロックが用いられるものとするが、これに限られない。図２Ａに示すように、バンド内漏えいとは、所望信号が配置されるリソースブロック（Allocated  RB）から、周波数方向に近接する他のリソースブロック（Non-allocated  RB）に対する干渉である。
【００１９】
バンド内漏えいによる干渉量は、所望信号が配置されるリソースブロックからの周波数距離（オフセット、リソースブロック数）の関数によって定められる。図２Ｂに示すように、所望信号が配置されるリソースブロックに近い周波数のリソースブロックほど干渉量は増大する。
【００２０】
図３は、ディスカバリー信号によるＰＵＣＣＨに対する干渉（バンド内漏えい）の説明図である。図３Ａでは、無線基地局（ｅＮＢ：eNodeB）の形成するセル内にユーザ端末（ＵＥ：User  Equipment）１−３が位置し、無線基地局の近傍（セルの中央部（以下、セル中央部という））のユーザ端末１が、ディスカバリー信号を送信し、セルの端部（以下、セル端部という）のユーザ端末２が、無線基地局に対するＰＵＣＣＨを送信するものとする。
【００２１】
図３Ａにおいて、ユーザ端末２からのＰＵＣＣＨの送信電力は、無線基地局において所望の受信品質で受信されるように、制御される。一方、ユーザ端末１からのディスカバリー信号の送信電力は、ＰＵＣＣＨのように制御されず、所定の送信電力（例えば、最大送信電力）で送信される。これは、ディスカバリー信号を送信するユーザ端末１は、当該ディスカバリー信号を受信するユーザ端末３との間の距離を事前に知ることができないためである。
【００２２】
図３Ａにおいて、図３Ｂに示すように、ユーザ端末１からのディスカバリー信号が、ユーザ端末２からのＰＵＣＣＨの配置リソースの近傍に配置されるとする。上述のように、ユーザ端末１からのディスカバリー信号の送信電力は制御されないので、図３Ｂに示す場合、ユーザ端末１からのディスカバリー信号のバンド内漏えいにより、無線基地局において受信されるユーザ端末２からのＰＵＣＣＨは、大きな干渉を受けることになる。
【００２３】
このように、ＰＵＣＣＨ領域に配置されるＰＵＣＣＨとディスカバリー信号とが周波数分割多重される場合、当該ディスカバリー信号によるＰＵＣＣＨに対する干渉（バンド内漏えい）が増大する恐れがある。そこで、本発明者らは、ディスカバリー信号の配置リソースを制限する（態様１）又は送信電力を制限する（態様２）ことにより、ディスカバリー信号によるＰＵＣＣＨに対する干渉を低減することを着想し、本発明に至った。
【００２４】
以下、本発明に係る無線通信方法を詳細に説明する。なお、以下では、端末間発見用信号であるディスカバリー信号とＰＵＣＣＨとが周波数分割多重される場合について説明するが、端末間で無線基地局を介さずに送受信される信号（端末間送受信信号）とＰＵＣＣＨとが周波数分割多重される場合についても適宜適用可能である。
【００２５】
（態様１）
図４を参照し、態様１に係る無線通信方法を説明する。態様１に係る無線通信方法では、無線基地局に対する距離に応じて、ディスカバリー信号の配置リソースを選択可能なリソース領域が制限される。具体的には、無線基地局は、ユーザ端末に対して、制限リソース領域（後述）を示す制限リソース領域情報を送信する。ユーザ端末は、無線基地局と自ユーザ端末との間の距離（セル内における自ユーザ端末の位置）を判定する。当該距離が相対的に近い（ユーザ端末がセル中央部に位置する）と判定される場合、ユーザ端末は、上記制限リソース領域の中からディスカバリー信号の配置リソースを選択する。
【００２６】
図４は、態様１に係る無線通信方法の説明図である。図４Ａでは、ユーザ端末１及び２が無線基地局によって形成されるセル内に位置するものとする。特に、図４Ａでは、ユーザ端末１が、無線基地局の近傍のセル中央部に位置し、ユーザ端末２は、セル中央部より無線基地局から離れたセル端部に位置するものとする。なお、図４Ａは、一例にすぎず、セル内のユーザ端末数やユーザ端末の位置はこれに限られない。
【００２７】
図４Ａに示すように、無線基地局は、ユーザ端末１及び２に対して、制限リソース領域（後述）を示す制限リソース領域情報を送信する。例えば、無線基地局は、ＳＩＢ（System  Information  Block）などの報知情報、下り制御チャネル（ＰＤＣＣＨ：Physical  Downlink  Control  Channel、ＥＰＤＣＣＨ：Enhanced  Physical  Downlink  Control  Channel）、ＲＲＣ（Radio  Resource  Control）シグナリングなどの上位レイヤシグナリングなどにより、制限リソース領域情報を送信する。
【００２８】
図４Ｂに示すように、制限リソース領域は、ＰＵＣＣＨ領域の隣接領域を除いたリソース領域である。また、ＰＵＣＣＨ領域が帯域の両端領域に配置される場合、制限リソース領域は、帯域の中心周波数（band  center）から所定範囲内であって、ＰＵＣＣＨ領域の隣接領域を除いたリソース領域であってもよい。制限リソース領域は、時間又は／及び周波数方向において少なくとも一つの無線リソース（例えば、リソースブロックやＰＲＢペア）を含んで構成される。制限リソース領域情報は、制限リソース領域を構成する無線リソースのインデックス（例えば、リソースブロックインデックスやＰＲＢインデックスなど）であってもよい。
【００２９】
同様に、図４Ｂに示すＰＵＣＣＨ領域の隣接領域は、時間又は／及び周波数方向において少なくとも一つの無線リソース（例えば、リソースブロックやＰＲＢペア）を含んで構成される。また、制限リソース領域とＰＵＣＣＨ領域の隣接領域とによって構成されるリソース領域は、Ｄ２Ｄ領域とも呼ばれる。
【００３０】
図４Ａにおいて、ユーザ端末１は、無線基地局との距離（セル内におけるユーザ端末１の位置）を判定する。具体的には、ユーザ端末１は、無線基地局からの下り信号強度（例えば、ＲＳＲＰ：Reference  Signal  Received  Power）や無線基地局とユーザ端末１との間のパスロスなどと所定の閾値との比較結果に基づいて、無線基地局との距離（ユーザ端末１がセル中央部に位置するか否か）を判定する。なお、パスロスは、無線基地局からの下り信号強度及び無線基地局の送信電力に基づいて算出される。
【００３１】
例えば、ユーザ端末１は、上記パスロスが所定の閾値よりも大きい場合、無線基地局との距離が相対的に遠い（セル端部に位置する）と判定し、上記パスロスが所定の閾値以下である場合、無線基地局との距離が相対的に近い（セル中央部に位置する）と判定してもよい。或いは、ユーザ端末１は、下り信号強度が所定の閾値よりも小さい場合、無線基地局との距離が相対的に遠い（セル端部に位置する）と判定し、下り信号強度が所定の閾値以上である場合、無線基地局との距離が相対的に近い（セル中央部に位置する）と判定してもよい。
【００３２】
なお、上記判定に用いられる判定基準情報（例えば、パスロス又は下り信号強度についての所定の閾値など）は、ＳＩＢなどの報知情報、下り制御チャネル（ＰＤＣＣＨ又はＥＰＤＣＣＨ）、ＲＲＣシグナリングなどの上位レイヤシグナリングなどにより、無線基地局からユーザ端末に通知されてもよいし、予め規定されていてもよい。
【００３３】
以上のような判定基準に基づいて、図４Ａのユーザ端末１は、無線基地局との距離が相対的に近い（セル中央部に位置する）と判定する。この場合、図４Ｂに示すように、ユーザ端末１は、制限リソース領域の中からディスカバリー信号の配置リソースを選択する。ユーザ端末１は、選択した配置リソースを用いてディスカバリー信号を送信する。なお、ユーザ端末１は、制限リソース領域の中から自律的にディスカバリー信号の配置リソースを選択してもよい。
【００３４】
図４Ａにおいて、ユーザ端末１は、ユーザ端末２よりも無線基地局に近いので、ユーザ端末１のディスカバリー信号は、ユーザ端末２からのディスカバリー信号と比較して、無線基地局によって受信されるＰＵＣＣＨに与える干渉が大きいと想定される。このため、図４Ｂに示すように、ユーザ端末１は、ＰＵＣＣＨ領域と離れた制限リソース領域の中からディスカバリー信号の配置リソースを選択する。これにより、ディスカバリー信号の送信電力制御が行われない場合であっても（すなわち、ユーザ端末１及び２のディスカバリー信号が同一の送信電力で送信される場合であっても）、ユーザ端末１からのディスカバリー信号が無線基地局によって受信されるＰＵＣＣＨに与える干渉を低減できる。
【００３５】
一方、図４Ｂのユーザ端末２は、無線基地局との距離が相対的に遠い（セル端部に位置する）と判定する。この場合、図４Ｂに示すように、ユーザ端末２は、制限リソース領域とＰＵＣＣＨ領域の隣接領域とで構成されるＤ２Ｄ領域全体の中からディスカバリー信号の配置リソースを選択する。ユーザ端末２は、選択した配置リソースを用いてディスカバリー信号を送信する。なお、ユーザ端末２は、Ｄ２Ｄ領域全体の中から自律的にディスカバリー信号の配置リソースを選択できる。
【００３６】
図４Ａにおいて、ユーザ端末２のディスカバリー信号は、ユーザ端末１からのディスカバリー信号と比較して、無線基地局によって受信されるＰＵＣＣＨに与える干渉が少ないと想定される。このため、ユーザ端末２は、ＰＵＣＣＨ領域と離れた制限リソース領域だけでなくＰＵＣＣＨ領域の隣接領域の中からも、ディスカバリー信号の配置リソースを選択できる。
【００３７】
以上のように、態様１に係る無線通信方法では、無線基地局とユーザ端末との間の距離が相対的に近い（ユーザ端末がセル中央部に位置する）場合、ＰＵＣＣＨ領域から離れた制限リソース領域からディスカバリー信号の配置リソースが選択されるので、ディスカバリー信号によるＰＵＣＣＨに対する干渉を低減できる。
【００３８】
（態様２）
図５−７を参照し、態様２に係る無線通信方法について、態様１との相違点を中心に説明する。態様２に係る無線通信方法では、ディスカバリー信号が配置される配置リソース（より具体的には、ディスカバリー信号の配置リソースとＰＵＣＣＨ領域との間の周波数距離）に応じて、当該ディスカバリー信号の送信電力が制限される。
【００３９】
具体的には、無線基地局は、ユーザ端末に対して、ＰＵＣＣＨ領域からの周波数距離が異なる複数のリソース領域（リソースセットとも呼ばれる）を示すリソース領域情報を送信する。ユーザ端末は、当該複数のリソース領域の中からディスカバリー信号の配置リソースを選択する。ユーザ端末は、選択した配置リソースを含むリソース領域に対応する送信電力で、ディスカバリー信号を送信する。
【００４０】
ここで、上記配置リソースを含むリソース領域に対応する送信電力は、リソース領域毎に定められた最大許容電力に基づいて算出されてもよいし（態様２．１）、上記配置リソースのＰＵＣＣＨ領域からの周波数距離に基づいて算出されてもよいし（態様２．２）、ＰＵＣＣＨ又はＰＵＳＣＨの送信電力とリソース領域毎に定められたオフセットとに基づいて算出されてもよい（態様２．３）。
【００４１】
（態様２．１）
図５は、態様２．１に係る無線通信方法の説明図である。図５Ａでは、ユーザ端末が無線基地局によって形成されるセル内に位置するものとする。なお、図５Ａは、一例にすぎず、セル内のユーザ端末数やユーザ端末の位置はこれに限られない。
【００４２】
図５Ａに示すように、無線基地局は、ユーザ端末に対して、ＰＵＣＣＨ領域からの周波数距離が異なる複数のリソース領域（リソースセットとも呼ばれる）を示すリソース領域情報を送信する。例えば、無線基地局は、ＳＩＢなどの報知情報、下り制御チャネル（ＰＤＣＣＨ、ＥＰＤＣＣＨ）、ＲＲＣシグナリングなどの上位レイヤシグナリングなどにより、リソース領域情報を送信する。
【００４３】
図５Ｂに示すように、複数のリソース領域は、ＰＵＣＣＨ領域に隣接する（すなわち、ＰＵＣＣＨ領域からの周波数距離が相対的に近い）第１リソース領域と、ＰＵＣＣＨ領域に隣接しない（すなわち、ＰＵＣＣＨ領域からの周波数距離が相対的に遠い）第２リソース領域とを含む。なお、図５Ｂは、例示にすぎず、ＰＵＣＣＨ領域からの周波数距離が異なるリソース領域が３以上設けられてもよい。
【００４４】
また、第１及び第２リソース領域は、それぞれ、時間又は／及び周波数方向において少なくとも一つの無線リソース（例えば、リソースブロックやＰＲＢペア）を含んで構成される。リソース領域情報は、第１及び第２リソース領域をそれぞれ構成する無線リソースのインデックス（例えば、リソースブロックインデックスやＰＲＢインデックスなど）であってもよい。
【００４５】
図５Ｂに示すように、ディスカバリー信号の最大許容電力は、リソース領域毎に定められる。例えば、第１リソース領域はＰＵＣＣＨ領域に隣接するので、相対的に低い最大許容電力Ｘ１が定められる。一方、第２リソース領域は、ＰＵＣＣＨ領域に隣接しないので、第１リソース領域の最大許容電力Ｘ１よりも大きい最大許容電力Ｘ２が定められる。
【００４６】
なお、リソース領域毎の最大許容電力Ｘ１、Ｘ２は、ＳＩＢなどの報知情報、下り制御チャネル（ＰＤＣＣＨ、ＥＰＤＣＣＨ）、ＲＲＣシグナリングなどの上位レイヤシグナリングなどにより、無線基地局からユーザ端末に通知されてもよいし、予め規定されていてもよい。
【００４７】
ユーザ端末は、リソース領域情報が示す複数のリソース領域の中からディスカバリー信号の配置リソースを選択する。ここで、ユーザ端末は、態様１と同様に、無線基地局との距離（セル内における自ユーザ端末の位置）に基づいて決定されるリソース領域の中からディスカバリー信号の配置リソースを選択してもよい。或いは、ユーザ端末は、任意の条件で（例えば、自律的に又はランダムに）、複数のリソース領域の中からディスカバリー信号の配置リソースを選択してもよい。
【００４８】
なお、ユーザ端末と無線基地局との距離は、態様１と同様に、無線基地局からの下り信号強度（例えば、ＲＳＲＰ：Reference  Signal  Received  Power）や無線基地局とユーザ端末１との間のパスロスなどと所定の閾値との比較結果に基づいて、判定される。詳細な判定基準は、態様１と同様であるため、ここでは、説明を省略する。
【００４９】
また、ユーザ端末は、上記選択された配置リソースを含むリソース領域の最大許容電力に基づいて、ディスカバリー信号の送信電力を算出する。具体的には、ユーザ端末は、当該最大許容電力と、無線基地局との距離（セル内における自ユーザ端末の位置）とに基づいて、ディスカバリー信号の送信電力を算出してもよいし、選択したリソース領域の最大許容電力をそのまま送信電力としてもよい。ユーザ端末は、算出された送信電力を用いて、ディスカバリー信号を送信する。
【００５０】
例えば、図５Ｂにおいて、第１リソース領域からディスカバリー信号の配置リソースが選択される場合、ユーザ端末は、第１リソース領域の最大許容電力Ｘ１及び無線基地局との距離（例えば、パスロス）に基づいてディスカバリー信号の送信電力を算出する。具体的には、ユーザ端末は、無線基地局における当該信号の受信電力が最大許容電力Ｘ１より小さく（或いは、最大許容電力Ｘ１以下と）なるよう、最大許容電力Ｘ１とパスロスの和を送信電力としてもよい。
【００５１】
一方、図５Ｂにおいて、第２リソース領域からディスカバリー信号の配置リソースが選択される場合、ユーザ端末は、第２リソース領域の最大許容電力Ｘ２及び無線基地局との距離（例えば、パスロス）に基づいてディスカバリー信号の送信電力を算出する。具体的には、ユーザ端末は、無線基地局における当該信号の受信電力が最大許容電力Ｘ２より小さく（或いは、最大許容電力Ｘ２以下と）なるよう、最大許容電力Ｘ２とパスロスの和を送信電力としてもよい。
【００５２】
以上のように、態様２．１に係る無線通信方法では、ユーザ端末は、リソース領域情報が示す複数のリソース領域の中からディスカバリー信号の配置リソースを選択し、選択された配置リソースを含むリソース領域の最大許容電力に基づいて、ディスカバリー信号の送信電力を算出する。これにより、ＰＵＣＣＨ領域に隣接するリソース領域の送信電力が相対的に低く算出されるので、ＰＵＣＣＨに対する干渉を低減できる。
【００５３】
（態様２．２）
図６は、態様２．２に係る無線通信方法の説明図である。図６Ａでは、ユーザ端末が無線基地局によって形成されるセル内に位置するものとする。なお、図６Ａは、一例にすぎず、セル内のユーザ端末数やユーザ端末の位置はこれに限られない。
【００５４】
図６Ａに示すように、無線基地局は、ユーザ端末に対して、ディスカバリー信号の送信電力の制御パラメータを送信する。例えば、無線基地局は、ＳＩＢなどの報知情報、下り制御チャネル（ＰＤＣＣＨ、ＥＰＤＣＣＨ）、ＲＲＣシグナリングなどの上位レイヤシグナリングなどにより、制御パラメータを送信する。図６Ａに示すように、制御パラメータは、後述する所定の送信電力Ｘ１や所定の係数Ｋを含む。
【００５５】
図６Ｂに示すように、態様２．２においては、ＰＵＣＣＨ領域を除いたＤ２Ｄ領域には、複数の周波数リソースが含まれる。ここで、周波数リソースとは、周波数方向の無線リソースであり、例えば、リソースブロックやＰＲＢペアである。以下では、一例として、周波数リソース単位がリソースブロック（ＲＢ）である場合を説明する。
【００５６】
ユーザ端末は、Ｄ２Ｄ領域の中からディスカバリー信号が配置される周波数リソース（以下、配置リソースという）を選択する。ここで、ユーザ端末は、無線基地局との距離（セル内におけるユーザ端末の位置）に基づいて、ディスカバリー信号の配置リソースを選択してもよい。或いは、ユーザ端末は、任意の条件で（例えば、自律的に又はランダムに）Ｄ２Ｄ領域の中からディスカバリー信号の配置リソースを選択してもよい。
【００５７】
ユーザ端末は、選択された配置リソースのＰＵＣＣＨ領域からの周波数距離と無線基地局からの制御パラメータ（例えば、所定の送信電力Ｘ１、所定の係数Ｋ）とに基づいて、選択された配置リソース毎に異なる最大許容電力を算出する。ユーザ端末は、当該最大許容電力と、無線基地局との距離（例えば、パスロス）に基づいてディスカバリー信号の送信電力を算出してもよい。具体的には、ユーザ端末は、無線基地局におけるディスカバリー信号の受信電力が最大許容電力以下となるよう、最大許容電力とパスロスの和を送信電力としてもよい。
【００５８】
例えば、図６Ｂにおいて、ユーザ端末がディスカバリー信号の配置リソースとして、ＰＵＣＣＨ領域からＤ１離れたリソースブロック（ＲＢ）を選択する場合、最大許容電力は、（Ｘ１＋Ｋ×Ｄ１）で表される。ここで、Ｘ１は、ＰＵＣＣＨ領域からの周波数距離に依存しない所定の送信電力であり、無線基地局から通知される。また、Ｋは、所定の係数であり、無線基地局から通知される。また、Ｄ１は、ＰＵＣＣＨ領域からのリソースブロック数である。ユーザ端末は、無線基地局におけるディスカバリー信号の受信電力が最大許容電力（Ｘ１＋Ｋ×Ｄ１）より小さく（或いは、最大許容電力（Ｘ１＋Ｋ×Ｄ１）以下と）なるように、最大許容電力（Ｘ１＋Ｋ×Ｄ１）とパスロスとの和を送信電力とする。
【００５９】
一方、図６Ｂにおいて、ユーザ端末がディスカバリー信号の配置リソースとして、ＰＵＣＣＨ領域からＤ２離れたリソースブロック（ＲＢ）を選択する場合、最大許容電力は、（Ｘ１＋Ｋ×Ｄ２）で表される。Ｘ１及びＫは、上述の通りであり、Ｄ２は、ＰＵＣＣＨ領域からのリソースブロック数である。ユーザ端末は、無線基地局におけるディスカバリー信号の受信電力が最大許容電力（Ｘ１＋Ｋ×Ｄ２）より小さく（或いは、最大許容電力（Ｘ１＋Ｋ×Ｄ２）以下と）なるように、最大許容電力（Ｘ１＋Ｋ×Ｄ２）とパスロスとの和を送信電力とする。
【００６０】
図６Ｂにおいて、Ｄ１＜Ｄ２であるので、ＰＵＣＣＨ領域から離れたリソースブロックをディスカバリー信号の配置リソースとして選択するほど、最大許容電力は大きく算出される。この結果、ＰＵＣＣＨ領域から離れたリソースブロックをディスカバリー信号の配置リソースとして選択するほど、ＰＵＣＣＨディスカバリー信号の送信電力は大きくなる。
【００６１】
以上のように、態様２．２に係る無線通信方法では、ユーザ端末は、ディスカバリー信号の配置リソースのＰＵＣＣＨ領域からの周波数距離に基づいて最大許容電力を決定し、決定した最大許容電力に基づいて、ディスカバリー信号の送信電力を算出する。これにより、ＰＵＣＣＨ領域に近い配置リソースを選択するほど、ディスカバリー信号の送信電力が低くなるので、ＰＵＣＣＨに対する干渉を低減できる。
【００６２】
（態様２．３）
図７は、態様２．３に係る無線通信方法の説明図である。図７Ａでは、ユーザ端末が無線基地局によって形成されるセル内に位置するものとする。また、図７Ａにおいて、ユーザ端末は、無線基地局とコネクションを接続した状態（RRC_connected状態）（以下、接続状態という）であるものとする。なお、図７Ａは、一例にすぎず、セル内のユーザ端末数やユーザ端末の位置はこれに限られない。
【００６３】
図７Ａに示すように、無線基地局は、ユーザ端末に対して、ディスカバリー信号の送信電力の制御パラメータを送信する。例えば、無線基地局は、ＳＩＢなどの報知情報、下り制御チャネル（ＰＤＣＣＨ、ＥＰＤＣＣＨ）、ＲＲＣシグナリングなどの上位レイヤシグナリングなどにより、制御パラメータを送信する。図７Ａに示すように、制御パラメータは、ＰＵＣＣＨ又はＰＵＳＣＨの送信電力に対する送信電力オフセットＸを含む。
【００６４】
無線基地局から送信される送信電力オフセットＸは、ＰＵＣＣＨ領域との周波数距離が小さいリソース領域ほど大きい値に定められ、ＰＵＣＣＨ領域との周波数距離が大きいリソース領域ほど小さい値に定められてもよい。
【００６５】
ユーザ端末は、Ｄ２Ｄ領域の中からディスカバリー信号が配置される周波数リソース（以下、配置リソースという）を選択する。ここで、ユーザ端末は、無線基地局との距離（セル内におけるユーザ端末の位置）に基づいて、ディスカバリー信号の配置リソースを選択してもよい。或いは、ユーザ端末は、任意の条件で（例えば、自律的に又はランダムに）Ｄ２Ｄ領域の中からディスカバリー信号の配置リソースを選択してもよい。
【００６６】
ここで、接続状態（RRC_connected状態）のユーザ端末は、無線基地局との距離（パスロス）に基づいてＰＵＣＣＨ又は／及びＰＵＳＣＨの送信電力制御を行う。そこで、接続状態のユーザ端末は、ＰＵＣＣＨ又はＰＵＳＣＨの送信電力と、ディスカバリー信号の配置リソースを含むリソース領域の送信電力オフセットＸとに基づいて、ディスカバリー信号の送信電力を算出する。
【００６７】
具体的には、図７Ｂに示すように、接続状態のユーザ端末は、ＰＵＳＣＨの送信電力（TX_PUSCH）から送信電力オフセットＸを減算して、当該ディスカバリー信号の送信電力を算出してもよい。また、図示しないが、接続状態のユーザ端末は、ＰＵＣＣＨの送信電力から送信電力オフセットＸを減算して、当該ディスカバリー信号の送信電力を算出してもよい。
【００６８】
ＰＵＣＣＨ又は／及びＰＵＳＣＨの送信電力は、無線基地局における目標受信電力が満たされるように、ユーザ端末と無線基地局との間の距離（パスロス）に基づいて予め制御されている。このため、態様２．３においては、態様２．１や２．２のように、ディスカバリー信号の算出にパスロスを用いなくともよい。
【００６９】
以上のように、態様２．３に係る無線通信方法では、ユーザ端末は、ＰＵＣＣＨ又はＰＵＳＣＨの送信電力と送信電力オフセットＸとに基づいて、ディスカバリー信号の送信電力を算出する。これにより、ＰＵＣＣＨ領域に近いリソース領域ほど、ディスカバリー信号の送信電力が低くなるので、ＰＵＣＣＨに対する干渉を低減できる。
【００７０】
（無線通信システム）
以下、本実施の形態に係る無線通信システムについて、詳細に説明する。この無線通信システムでは、態様１及び態様２（態様２．１−２．３を含む）に係る無線通信方法が適用される。なお、態様１、２に係る無線通信方法は、単独で適用されてもよいし、組み合わせ適用されてもよい。
【００７１】
図８は、本実施の形態に係る無線通信システムの概略構成図である。図８に示すように、無線通信システム１は、セルＣを形成する無線基地局１０と、ユーザ端末２０と、無線基地局１０が接続されるコアネットワーク３０と、を含んで構成される。なお、無線基地局１０、ユーザ端末２０の数は図８に示すものに限られない。
【００７２】
無線基地局１０は、所定のカバレッジを有する無線基地局である。なお、無線基地局１０は、相対的に広いカバレッジを有するマクロ基地局（ｅＮｏｄｅＢ、マクロ基地局、集約ノード、送信ポイント、送受信ポイント）であってもよいし、局所的なカバレッジを有するスモール基地局（スモール基地局、ピコ基地局、フェムト基地局、ＨｅＮＢ（Home  eNodeB）、ＲＲＨ（Remote  Radio  Head）、マイクロ基地局、送信ポイント、送受信ポイント）であってもよい。
【００７３】
ユーザ端末２０は、ＬＴＥ、ＬＴＥ−Ａ、ＦＲＡなどの各種通信方式に対応した端末であり、移動通信端末だけでなく固定通信端末を含んでよい。ユーザ端末２０は、無線基地局１０と下り／上り通信を行うとともに、他のユーザ端末２０と端末間発見及び端末間通信を含む端末間信号送受信を行う。
【００７４】
また、無線通信システム１では、下りリンクのチャネルとして、各ユーザ端末２０で共有される下り共有チャネル（ＰＤＳＣＨ：Physical  Downlink  Shared  Channel）と、下り制御チャネル（ＰＤＣＣＨ：Physical  Downlink  Control  Channel、ＥＰＤＣＣＨ：Enhanced  Physical  Downlink  Control  Channel）、報知チャネル（ＰＢＣＨ）などが用いられる。ＰＤＳＣＨにより、ユーザデータや上位レイヤ制御情報、所定のＳＩＢ（System  Information  Block）が伝送される。ＰＤＣＣＨ、ＥＰＤＣＣＨにより、下り制御情報（ＤＣＩ）が伝送される。ＥＰＤＣＣＨは、ＰＤＳＣＨと周波数分割多重され、拡張下り制御チャネルとも呼ばれる。
【００７５】
また、無線通信システム１では、上りリンクのチャネルとして、各ユーザ端末２０で共有される上り共有チャネル（ＰＵＳＣＨ：Physical  Uplink  Shared  Channel）と、上り制御チャネル（ＰＵＣＣＨ：Physical  Uplink  Control  Channel）などが用いられる。ＰＵＳＣＨにより、ユーザデータや上位レイヤ制御情報が伝送される。また、無線通信システム１では、上りリンクにおいて、ユーザ端末２０間で互いを発見するためのディスカバリー信号（端末間発見用信号）が送信される。
【００７６】
また、無線通信システム１では、複信方式として、周波数分割複信（ＦＤＤ：Frequency  Division  Duplex）方式が用いられてもよいし、時分割複信（ＴＤＤ：Time  Division  Duplex）方式が用いられてもよいし、両者が用いられてもよい。また、図示しないが、マクロ基地局とスモール基地局とが設けられる場合、マクロ基地局でＦＤＤ方式が用いられ、スモール基地局で用いられてもよい。
【００７７】
図９及び１０を参照し、無線基地局１０、ユーザ端末２０の全体構成を説明する。図９は、本実施の形態に係る無線基地局１０の全体構成図である。図９に示すように、無線基地局１０は、ＭＩＭＯ伝送のための複数の送受信アンテナ１０１と、アンプ部１０２と、送受信部１０３（送信部、受信部）と、ベースバンド信号処理部１０４と、呼処理部１０５と、伝送路インターフェース１０６とを備えている。
【００７８】
下りリンクにおいて、無線基地局１０からユーザ端末２０に送信されるユーザデータは、コアネットワーク３０から伝送路インターフェース１０６を介してベースバンド信号処理部１０４に入力される。
【００７９】
ベースバンド信号処理部１０４では、ＰＤＣＰレイヤの処理、ユーザデータの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ：Inverse  Fast  Fourier  Transform）処理、プリコーディング処理、ＣＰ挿入処理などが行われて各送受信部１０３に転送される。また、下り制御信号（参照信号、同期信号、報知信号などを含む）に関しても、チャネル符号化や逆高速フーリエ変換等の送信処理が行われて、各送受信部１０３に転送される。
【００８０】
各送受信部１０３は、ベースバンド信号処理部１０４からアンテナ毎にプリコーディングして出力された下り信号を無線周波数に変換する。アンプ部１０２は、周波数変換された無線周波数信号を増幅して送受信アンテナ１０１により送信する。
【００８１】
一方、上り信号については、各送受信アンテナ１０１で受信された無線周波数信号がそれぞれアンプ部１０２で増幅され、各送受信部１０３で周波数変換されてベースバンド信号に変換され、ベースバンド信号処理部１０４に入力される。
【００８２】
ベースバンド信号処理部１０４では、入力された上り信号に含まれるユーザデータに対して、ＣＰ除去処理、ＦＦＴ処理、ＩＤＦＴ処理、誤り訂正復号、ＭＡＣ再送制御の受信処理、ＲＬＣレイヤ、ＰＤＣＰレイヤの受信処理がなされ、伝送路インターフェース１０６を介してコアネットワーク３０に転送される。呼処理部１０５は、通信チャネルの設定や解放等の呼処理や、無線基地局１０の状態管理や、無線リソースの管理を行う。
【００８３】
図１０は、本実施の形態に係るユーザ端末２０の全体構成図である。ユーザ端末２０は、ＭＩＭＯ伝送のための複数の送受信アンテナ２０１と、アンプ部２０２と、送受信部２０３（送信部、受信部）と、ベースバンド信号処理部２０４と、アプリケーション部２０５とを備えている。
【００８４】
下り信号については、複数の送受信アンテナ２０１で受信された無線周波数信号がそれぞれアンプ部２０２で増幅され、送受信部２０３で周波数変換され、ベースバンド信号処理部２０４に入力される。ベースバンド信号処理部２０４では、ＣＰ除去処理、ＦＦＴ処理や、誤り訂正復号、再送制御の受信処理等がなされる。この下り信号に含まれるユーザデータは、アプリケーション部２０５に転送される。アプリケーション部２０５は、物理レイヤやＭＡＣレイヤより上位のレイヤに関する処理等を行う。また、下りリンクのデータの内、報知情報もアプリケーション部２０５に転送される。
【００８５】
一方、上りリンクのユーザデータについては、アプリケーション部２０５からベースバンド信号処理部２０４に入力される。ベースバンド信号処理部２０４では、再送制御（Ｈ−ＡＲＱ（Ｈｙｂｒｉｄ  ＡＲＱ））の送信処理や、チャネル符号化、プリコーディング、ＤＦＴ処理、ＩＦＦＴ処理、ＣＰ挿入処理等が行われて各送受信部２０３に転送される。送受信部２０３は、ベースバンド信号処理部２０４から出力されたベースバンド信号を無線周波数に変換する。その後、アンプ部２０２は、周波数変換された無線周波数信号を増幅して送受信アンテナ２０１により送信する。
【００８６】
次に、図１１及び１２を参照し、無線基地局１０、ユーザ端末２０の詳細構成を説明する。図１１に示す無線基地局１０の機能構成は、主に、図９のベースバンド信号処理部１０４によって構成される。また、図１２に示すユーザ端末２０の詳細構成は、主に、図１０のベースバンド信号処理部２０４によって構成される。
【００８７】
図１１は、本実施の形態に係る無線基地局１０の詳細構成図である。図１１に示すように、無線基地局１０は、リソース制限情報生成部３０１（生成部）と、電力制限情報生成部３０２（生成部）と、を具備する。なお、リソース制限情報生成部３０１は、本発明の態様２においては省略されてもよい。また、電力制限情報生成部３０２は、本発明の態様１においては省略されてもよい。
【００８８】
リソース制限情報生成部３０１は、リソース制限情報を生成する（態様１）。リソース制限情報とは、ディスカバリー信号の配置リソースを制限するための情報であり、後述する制限リソース領域情報や判定基準情報を含む。具体的には、リソース制限情報生成部３０１は、制限リソース領域情報生成部３０１１と、判定基準情報生成部３０１２と、を具備する。
【００８９】
制限リソース領域情報生成部３０１１は、制限リソース領域を示す制限リソース領域情報を生成する。制限リソース領域とは、ＰＵＣＣＨが配置される周波数リソース領域（ＰＵＣＣＨ領域）の隣接領域を除いたリソース領域である。例えば、ＰＵＣＣＨ領域が帯域の両端領域に設けられる場合、制限リソース領域は、当該帯域の中心周波数から所定範囲内であって、ＰＵＣＣＨ領域の隣接領域を除いたリソース領域であってもよい（図４Ｂ参照）。制限リソース領域情報は、例えば、制限リソース領域を構成する無線リソースのインデックス（例えば、リソースブロックインデックスやＰＲＢインデックスなど）であってもよい。
【００９０】
制限リソース領域情報生成部３０１１は、生成した制限リソース領域情報を送受信部１０３に出力する。制限リソース領域情報は、ＳＩＢなどの報知情報、下り制御チャネル（ＰＤＣＣＨ又はＥＰＤＣＣＨ）、ＲＲＣシグナリングなどの上位レイヤシグナリングなどにより、送受信部１０３からユーザ端末２０に送信される。
【００９１】
判定基準情報生成部３０１２は、ユーザ端末と無線基地局との間の距離の判定に用いられる判定基準情報を生成する。上述のように、判定基準情報は、例えば、パスロスや下り信号強度についての所定の閾値である。
【００９２】
判定基準情報生成部３０１２は、生成した判定基準情報を送受信部１０３に出力する。判定基準情報は、ＳＩＢなどの報知情報、下り制御チャネル（ＰＤＣＣＨ又はＥＰＤＣＣＨ）、ＲＲＣシグナリングなどの上位レイヤシグナリングなどにより、送受信部１０３からユーザ端末２０に送信される。なお、判定基準情報が予めユーザ端末２０において記憶されている場合、判定基準情報生成部３０１２は省略されてもよい。
【００９３】
電力制限情報生成部３０２は、電力制限情報を生成する（態様２）。電力制限情報とは、ディスカバリー信号の送信電力を制限するための情報であり、後述するリソース領域情報、制御パラメータ、判定基準情報の少なくとも一つを含む。具体的には、電力制限情報生成部３０２は、リソース領域情報生成部３０２１と、制御パラメータ生成部３０２２と、判定基準情報生成部３０２３と、を具備する。
【００９４】
リソース領域情報生成部３０２１は、ＰＵＣＣＨ領域からの周波数距離が異なる複数のリソース領域（リソースセットとも呼ばれる）を示すリソース領域情報を送信する。上述のように、複数のリソース領域は、ＰＵＣＣＨ領域からの周波数距離（例えば、リソースブロック数）に応じて分けられる（周波数分割多重される）リソース領域であり、リソースセットなどとも呼ばれる（図５Ｂ参照）。リソース領域情報は、例えば、各リソース領域を構成する無線リソースのインデックス（例えば、リソースブロックインデックスやＰＲＢインデックスなど）である。
【００９５】
リソース領域情報生成部３０２１は、生成したリソース領域情報を送受信部１０３に出力する。リソース領域情報は、ＳＩＢなどの報知情報、下り制御チャネル（ＰＤＣＣＨ又はＥＰＤＣＣＨ）、ＲＲＣシグナリングなどの上位レイヤシグナリングなどにより、送受信部１０３からユーザ端末２０に送信される。
【００９６】
制御パラメータ生成部３０２２は、ディスカバリー信号の送信電力の制御パラメータを生成する。制御パラメータは、リソース領域毎に異なるディスカバリー信号の最大許容電力（図５ＢのＸ１、Ｘ２）を含んでもよい（態様２．１）。
【００９７】
或いは、制御パラメータは、各リソース領域に依存しない所定の送信電力（図６ＢのＸ１）と、所定の係数（図６ＢのＫ）を含んでもよい（態様２．２）。
【００９８】
或いは、制御パラメータは、リソース領域毎に異なる送信電力オフセット（図７ＢのＸ）、ＰＵＣＣＨ又はＰＵＳＣＨの送信電力の制御パラメータ（例えば、送信電力オフセット（ＰＯ＿ＰＵＣＣＨ、ＰＯ＿ＰＵＳＣＨ（ｊ））や、ＴＰＣコマンドなど）を含んでもよい（態様２．３）。
【００９９】
制御パラメータ生成部３０２２は、生成した制御パラメータを送受信部１０３に出力する。制御パラメータは、ＳＩＢなどの報知情報、下り制御チャネル（ＰＤＣＣＨ又はＥＰＤＣＣＨ）、ＲＲＣシグナリングなどの上位レイヤシグナリングなどにより、送受信部１０３からユーザ端末２０に送信される。
【０１００】
判定基準情報生成部３０２３は、判定基準情報生成部３０１２と同様に、ユーザ端末と無線基地局との間の距離の判定に用いられる判定基準情報を生成する。判定基準情報生成部３０２３の詳細処理は、判定基準情報生成部３０１２と同様であるため、説明を省略する。なお、ユーザ端末２０の電力制限処理部４０２で判定部４０２２が省略される場合、判定基準情報生成部３０２３は、省略されてもよい。
【０１０１】
図１２は、本実施の形態に係るユーザ端末２０の詳細構成図である。図１２に示すように、ユーザ端末２０は、リソース制限処理部４０１と、電力制限処理部４０２と、ディスカバリー信号生成部４０３と、ＰＵＣＣＨ生成部４０４と、マッピング部（配置部）４０５と、を具備する。なお、リソース制限処理部４０１は、本発明の態様２においては省略されてもよい。また、電力制限処理部４０２は、本発明の態様１においては省略されてもよい。
【０１０２】
リソース制限処理部４０１は、無線基地局１０とユーザ端末２０との間の距離に応じてディスカバリー信号の配置リソースを制限する処理を行う（態様１）。具体的には、リソース制限処理部４０１は、判定部４０１１と、選択部４０１２と、を具備する。
【０１０３】
判定部４０１１は、無線基地局１０とユーザ端末２０との間の距離（セルＣにおけるユーザ端末２０の位置）を判定する。判定部４０１１は、送受信部２０３によって無線基地局１０から受信される判定基準情報（例えば、下り信号強度やパスロスについての所定の閾値）に基づいて、無線基地局１０とユーザ端末２０との間の距離を判定してもよい。判定基準情報は、ＳＩＢなどの報知情報、下り制御チャネル（ＰＤＣＣＨ又はＥＰＤＣＣＨ）、ＲＲＣシグナリングなどの上位レイヤシグナリングなどにより、送受信部２０３によって受信され、判定部４０１１に入力されてもよいし、予めユーザ端末２０に記憶されていてもよい。
【０１０４】
具体的には、判定部４０１１は、無線基地局１０からの下り信号の受信信号強度（例えば、ＲＳＲＰ）と所定の閾値との比較結果に基づいて、無線基地局１０との距離を判定してもよい。例えば、判定部４０１１は、下り信号強度が所定の閾値よりも小さい場合、無線基地局１０との距離が相対的に遠い（セル端部に位置する）と判定し、下り信号強度が所定の閾値以上である場合、無線基地局１０との距離が相対的に近い（セル中央部に位置する）と判定してもよい。
【０１０５】
また、判定部４０１１は、無線基地局１０からの下り信号の受信信号強度に基づいて算出されるパスロスと所定の閾値との比較結果に基づいて、無線基地局１０との距離を判定してもよい。例えば、判定部４０１１は、上記パスロスが所定の閾値よりも大きい場合、無線基地局１０との距離が相対的に遠い（セル端部に位置する）と判定し、上記パスロスが所定の閾値以下である場合、無線基地局１０との距離が相対的に近い（セル中央部に位置する）と判定してもよい。
【０１０６】
選択部４０１２は、判定部４０１１による判定結果に基づいて、ディスカバリー信号の配置リソースを選択する。具体的には、判定部４０１１によって無線基地局１０との距離が相対的に近い（セル中央部に位置する）と判定される場合、選択部４０１２は、制限リソース領域情報が示す制限リソース領域の中からディスカバリー信号の配置リソースを選択する。
【０１０７】
一方、判定部４０１１によって無線基地局１０との距離が相対的に遠い（セル端部に位置する）と判定される場合、選択部４０１２は、制限リソース領域情報が示す制限リソース領域とＰＵＣＣＨ領域の隣接領域とで構成されるＤ２Ｄ領域の中からディスカバリー信号の配置リソースを選択する。
【０１０８】
なお、制限リソース領域情報は、ＳＩＢなどの報知情報、下り制御チャネル（ＰＤＣＣＨ又はＥＰＤＣＣＨ）、ＲＲＣシグナリングなどの上位レイヤシグナリングなどにより、送受信部２０３によって受信され、選択部４０１２に入力される。
【０１０９】
電力制限処理部４０２は、ディスカバリー信号の配置リソースに応じてディスカバリー信号の送信電力を制限する処理を行う（態様２）。具体的には、電力制限処理部４０２は、選択部４０２１、判定部４０２２と、電力算出部４０２３と、を具備する。なお、判定部４０２２は、省略されてもよい。
【０１１０】
選択部４０２１は、ディスカバリー信号の配置リソースを選択する。具体的には、送受信部２０３によって受信されるリソース領域情報が示す複数のリソース領域の中からディスカバリー信号の配置リソースを選択してもよい（態様２．１）。上述のように、当該複数のリソース領域は、ＰＵＣＣＨ領域からの周波数距離がそれぞれ異なる（図５Ｂ）。また、リソース領域情報は、ＳＩＢなどの報知情報、下り制御チャネル（ＰＤＣＣＨ又はＥＰＤＣＣＨ）、ＲＲＣシグナリングなどの上位レイヤシグナリングなどにより、送受信部２０３によって受信され、選択部４０２１に入力される。
【０１１１】
また、選択部４０２１は、上記リソース領域情報に基づかずに、Ｄ２Ｄ領域の中からディスカバリー信号が配置される配置リソース（例えば、リソースブロック）を選択してもよい（態様２．２及び２．３）。
【０１１２】
また、選択部４０２１は、後述する判定部４０２２による判定結果に基づいて、ディスカバリー信号の配置リソースを選択してもよい。或いは、選択部４０２１は、任意の条件で（例えば、自律的に又はランダムに）、ディスカバリー信号の配置リソースを選択してもよい。
【０１１３】
判定部４０２２は、上述の判定部４０１１と同様に、無線基地局１０とユーザ端末２０との間の距離（セルＣにおけるユーザ端末２０の位置）を判定する。判定部４０２２の詳細処理は、上述の判定部４０１１と同様であるため、説明を省略する。なお、判定部４０２２は、省略されてもよい。
【０１１４】
電力算出部４０２３は、選択部４０２１によって選択されるディスカバリー信号の配置リソース（より具体的には、当該配置リソースとＰＵＣＣＨ領域との間の周波数距離）に基づいて、ディスカバリー信号の送信電力を算出する。
【０１１５】
例えば、リソース領域毎に異なる最大許容電力が定められる場合（態様２．１、図５Ｂ）、電力算出部４０２３は、選択部４０２１によって選択される配置リソースを含むリソース領域の最大許容電力に基づいて、ディスカバリー信号の送信電力を算出する。また、電力算出部４０２３は、当該リソース領域の最大許容電力と判定部４０２２によって判定される無線基地局１０との距離（パスロス）とに基づいて、ディスカバリー信号の送信電力を算出してもよい（図５Ｂ）。
【０１１６】
なお、リソース領域毎に異なる最大許容電力（図５ＢのＸ１、Ｘ２）は、送受信部２０３によって受信される制御パラメータに含まれてもよいし、予めユーザ端末２０に記憶されていてもよい。
【０１１７】
また、ＰＵＣＣＨ領域からの周波数距離に基づいて最大許容電力が算出される場合（態様２．２、図６Ｂ）、電力算出部４０２３は、算出された最大許容電力に基づいて、ディスカバリー信号の送信電力を算出する。また、電力算出部４０２３は、当該最大許容電力と判定部４０２２によって判定される無線基地局１０との距離（パスロス）とに基づいて、ディスカバリー信号の送信電力を算出してもよい（図６Ｂ）。
【０１１８】
なお、当該最大許容電力（図６ＢのＸ１＋Ｋ×Ｄ１、Ｘ１＋Ｋ×Ｄ２）は、リソース領域に依存しない所定の送信電力Ｘ１、所定の係数Ｋ、ＰＵＣＣＨ領域からの周波数距離（例えば、リソースブロック数）Ｄ１、Ｄ２に基づいて、電力算出部４０２３によって算出される。ここで、上記Ｘ１、Ｋは、送受信部２０３によって受信される制御パラメータに含まれてもよいし、予めユーザ端末２０に記憶されていてもよい。
【０１１９】
また、ユーザ端末２０が接続状態（RRC_connected状態）である場合（態様２．３、図７Ｂ）、電力算出部４０２３は、ＰＵＣＣＨ又はＰＵＳＣＨの送信電力と、当該ＰＵＣＣＨ又はＰＵＳＣＨの送信電力に対する送信電力オフセットと、に基づいて、ディスカバリー信号の送信電力を算出する。
【０１２０】
なお、当該送信電力オフセット（図７ＢのＸ）は、送受信部２０３によって受信される制御パラメータに含まれてもよいし、予めユーザ端末２０に記憶されていてもよい。
【０１２１】
ディスカバリー信号生成部４０３は、ディスカバリー信号を生成する。ディスカバリー信号とは、無線基地局を介さずに自端末を他のユーザ端末に発見させるための端末間発見用信号であり、自端末の識別情報などを含んでもよい。ディスカバリー信号は、Ｄ２Ｄ信号、Ｄ２Ｄディスカバリー信号、ＤＳなどと呼ばれてもよい。
【０１２２】
ＰＵＣＣＨ生成部４０４は、上り制御チャネル（ＰＵＣＣＨ）を生成する。具体的には、ＰＵＣＣＨ生成部４０４は、上り制御チャネルの符号化、変調などを行い、マッピング部４０５に出力する。
【０１２３】
マッピング部４０５は、ディスカバリー信号生成部４０３で生成されるディスカバリー信号とＰＵＣＣＨ生成部４０４で生成されるＰＵＣＣＨを無線リソースに配置（マッピング）する。具体的には、マッピング部４０５は、選択部４０１２又は４０２１によって選択される配置リソースに、ディスカバリー信号をマッピング（配置）する。また、マッピング部４０５は、ＰＵＣＣＨ領域の無線リソースに、ＰＵＣＣＨをマッピング（配置）する。
【０１２４】
送受信部２０３は、マッピング部４０５によって無線リソースにマッピングされたディスカバリー信号とＰＵＣＣＨとを周波数分割多重して、送信する。
【０１２５】
本実施の形態に係る無線通信システム１によれば、帯域の両端領域に配置されるＰＵＣＣＨとディスカバリー信号と周波数分割多重される場合、当該ディスカバリー信号によるＰＵＣＣＨに対する干渉（バンド内漏えい）を低減できる。
【０１２６】
具体的には、無線通信システム１では、無線基地局１０とユーザ端末２０との間の距離が相対的に近い（ユーザ端末２０がセル中央部に位置する）場合、ＰＵＣＣＨ領域から離れた制限リソース領域からディスカバリー信号の配置リソースが選択されるので、ディスカバリー信号によるＰＵＣＣＨに対する干渉を低減できる（態様１）。
【０１２７】
また、無線通信システム１では、ディスカバリー信号の配置リソース（より具体的には、ディスカバリー信号の配置リソースとＰＵＣＣＨ領域との間の周波数距離）に応じて、当該ディスカバリー信号の送信電力が制限されるので、ディスカバリー信号によるＰＵＣＣＨに対する干渉を低減できる（態様２）。
【０１２８】
以上、上述の実施の形態を用いて本発明について詳細に説明したが、当業者にとっては、本発明が本明細書中に説明した実施の形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２９】
１…無線通信システム
１０…無線基地局
２０…ユーザ端末
３０…コアネットワーク
１０１…送受信アンテナ      
１０２…アンプ部
１０３…送受信部
１０４…ベースバンド信号処理部
１０５…呼処理部
１０６…伝送路インターフェース
２０１…送受信アンテナ
２０２…アンプ部
２０３…送受信部
２０４…ベースバンド信号処理部
２０５…アプリケーション部
３０１…リソース制限情報生成部
３０２…電力制限情報生成部
３０１１…制限リソース領域情報生成部
３０１２…判定基準情報生成部
３０２１…リソース領域情報生成部
３０２２…制御パラメータ生成部
３０２３…判定基準情報生成部
４０１…リソース制限処理部
４０２…電力制限処理部
４０３…ＰＵＣＣＨ生成部
４０４…ディスカバリー信号生成部
４０５…マッピング部
４０１１…判定部
４０１２…選択部
４０２１…選択部
４０２２…判定部
４０２３…電力算出部
【図１】
2015142356.tif 000003
【図２】
2015142356.tif 000004
【図３】
2015142356.tif 000005
【図４】
2015142356.tif 000006
【図５】
2015142356.tif 000007
【図６】
2015142356.tif 000008
【図７】
2015142356.tif 000009
【図８】
2015142356.tif 000010
【図９】
2015142356.tif 000011
【図１０】
2015142356.tif 000012
【図１１】
2015142356.tif 000013
【図１２】
2015142356.tif 000014